(57)【要約】【課題】ユーザがストレスを感じることが少ない高速なメニュー表示を行うと共に、書き込み処理とそれ以外の多くの処理を同一の制御手段で行うことを可能とする。【解決手段】ＤＶＣは、カメラ信号処理回路１−３から出力された映像信号を画像記録信号及びモニタ出力信号に変換するビデオ信号処理回路１−５と、映像信号に付加する付加画像情報を生成するビットマップ情報生成回路１−６と、付加画像情報のビットマップパターンを記憶するビットマップメモリ１−７と、ビットマップメモリ１−７に付加画像情報のビットマップパターンを書き込むビットマップメモリ書き込み処理とそれ以外の処理とを順次実行し、メニュー表示モードになった場合、ビットマップメモリ書き込み処理以外の処理を処理負荷が軽くなるモード２により実行するマイコン１−１３とを備える。【選択図】      図１
2004173101.tif 000002
【特許請求の範囲】
【請求項１】
映像情報の表示制御を行う映像情報表示制御装置において、
映像信号に付加する付加画像情報を生成する付加画像情報生成手段と、前記付加画像情報のビットマップパターンを記憶する付加画像情報記憶手段と、前記付加画像情報記憶手段に前記付加画像情報のビットマップパターンを書き込む書き込み処理と前記書き込み処理以外の処理とを順次実行し、特定の動作状態になった場合、前記書き込み処理以外の処理を処理負荷が軽くなるモードにより実行する制御手段とを有することを特徴とする映像情報表示制御装置。
【発明の詳細な説明】
【０００１】
【発明の属する技術分野】
本発明は、例えば磁気記録媒体に画像情報及び音声情報を記録し再生する映像情報記録再生装置における付加画像情報の生成方法に適用する場合に好適な映像情報表示制御装置に関する。
【０００２】
【従来の技術】
映像情報記録再生装置における付加画像情報の表示項目としては、映像情報の記録・再生等の装置の現在の状態を示す現在モードの表示、タイムコード・映像シーンを区別するチャプタ等の記録／再生情報の記憶媒体内での位置を示す位置情報の表示、記憶媒体の残りの記憶容量を示す残量表示、映像情報記録／再生用の磁気テープの終了等を示す警告表示、ズーム位置を示すズームバーの表示（カメラ一体型の記録装置の場合）等、種々の表示項目がある。
【０００３】
また、一般的にカメラ一体型の記録装置には、記録モード（ＳＰ（Ｓｔａｎｄａｒｄ  Ｐｌａｙ）／ＬＰ（Ｌｏｎｇ  Ｐｌａｙ）など）・シャッタスピード・音声モード・プログラムＡＥ（自動露出補正処理）モードなど、ユーザが装置の設定を外部から変更するための手段として、「メニュー設定」といわれるユーザインタフェース機能が備わっている場合が多い。メニュー設定機能は、各設定項目と現状の設定状態・設定可能状態、設定を行うためのポインタ等を記録装置の表示部にメニュー設定画面として表示し、ユーザがその表示を見ながら記録装置の設定を自由に変更することができる機能である。
【０００４】
上記メニュー設定の基本的な操作方法の一例は、「ポインタ移動キー」によりメニュー設定画面上の表示項目を選択し、「選択キー」によりその項目を選択する方式である。このメニュー設定画面においては、「ポインタ移動キー」によるポインタ表示位置の切り換えには素早い応答性が必要であり、また、「選択キー」による表示項目の選択時には画面表示が大きく切り換わるために、表示する文字列を一気に多数変更する必要がある。図２及び図３にメニュー設定画面の一例を示す。例えば、「ポインタ移動キー」によりポインタを「記録モード」の項目に合わせた図２の状態から「選択キー」を押下すると、メニュー設定画面は図３の「記録モード」の選択画面に大きく切り換わる。この場合には、上述したように表示する文字列を多数変更する必要が生じることとなる。
【０００５】
従来、上記の付加画像情報は、表示キャラクタのフォント情報（フォントパターン）が書き込まれた内部メモリを備えたキャラクタ生成ＩＣ（以下ＣＧＩＣ）によって生成され、記録映像及び再生映像に付加されて映像情報記録再生装置のモニタ等に対して表示出力されていた。
【０００６】
図８は従来例に係るデジタルビデオカメラにおけるＣＧＩＣを用いて付加画像情報の表示を行うことが可能なシステム構成を示すブロック図である。デジタルビデオカメラは、レンズ７−１、ＣＣＤ７−２、カメラ信号処理回路７−３、ジャイロセンサ７−４、カメラマイクロコンピュータ（以下マイコン）７−５、ビデオ信号処理回路７−６、ユーザインタフェースマイコン７−７、ＣＧＩＣ７−８、加算器（足算器）７−９、レコーダマイコン７−１０、メカデッキ７−１１、デジタルインタフェース（Ｄ．Ｉ．）７−１２、リモートコントローラ（以下リモコン）入力手段７−１３、キー入力手段７−１４を備えている。
【０００７】
レンズ７−１は、被写体の光学的な信号をＣＣＤ７−２に導光する。ＣＣＤ７−２は、レンズ７−１を通じて入力される光学的な信号を電気信号に変換する。カメラ信号処理回路７−３は、ＣＣＤ７−２から出力された電気信号を処理する。ジャイロセンサ７−４は、カメラ本体の振動を検出する。カメラマイコン７−５は、レンズ７−１及びＣＣＤ７−２等の撮像系を制御する。ビデオ信号処理回路７−６は、カメラ信号処理回路７−３から出力されたデジタル映像信号の処理を行う。ユーザインタフェースマイコン７−７は、リモコン入力手段７−１３、キー入力手段７−１４等のユーザインタフェースからの入力を受けて、レコーダマイコン７−１０及びカメラマイコン７−５を制御する。ユーザインタフェースマイコン７−７は、同時に、ＣＧＩＣ７−８の制御を行うことで、モニタに対する上述したメニュー表示等の付加画像情報表示の制御を行っている。
【０００８】
ＣＧＩＣ７−８は、付加画像情報を生成する。加算器７−９は、ビデオ信号処理回路７−６から出力されたモニタ出力信号にＣＧＩＣ７−８から出力された付加画像情報信号を加算し、モニタに出力する。レコーダマイコン７−１０は、メカデッキ７−１１における画像記録信号の記録制御を行う。メカデッキ７−１１は、ビデオ信号処理回路７−６で生成された画像記録信号を磁気テープに記録する。デジタルインタフェース（Ｄ．Ｉ．）７−１２は、デジタル信号入力のインタフェースを司る。リモコン入力手段７−１３は、カメラのリモコン操作を行う場合に使用する。キー入力手段７−１４は、ユーザから操作されたキー入力のインタフェースを司る。
【０００９】
他の従来例としては、キャラクタ生成回路を用いてキャラクタ信号を表示する技術が各種提案されている（例えば、特許文献１、特許文献２参照。）。
【００１０】
【特許文献１】
特開平５−２９２３５８号公報
【特許文献２】
特開平９−３２２０２５号公報
【００１１】
【発明が解決しようとする課題】
しかしながら、上記従来技術においては次のような問題があった。デジタルビデオカメラのＣＧＩＣによる付加画像情報の表示は、色の種類が制限されるので、高品位な表示はできない、ＣＧＩＣの内部メモリに書き込まれたフォントパターン以外の表示はできない等の問題点がある。
【００１２】
そこで、近年では、ビットマップ表示と呼ばれる、付加画像情報のビットマップパターンをメモリに書き込みグラフィカルで高品位な付加画像情報を出力することが可能な表示方法も用いられている。この場合、ビットマップパターンの書き換えに時間がかかるために、ビットマップパターンの書き換え途中の状態が画像情報として出力されてしまったり、画面がちらついたりするなどの不具合がある。そこで、一般的には、高機能な専用のＣＰＵで高速にビットマップパターンをメモリに書き込んだり、ビットマップパターンのメモリ領域を広くすると共に規模の大きい描画回路を設けて複数のレイヤ（複数枚重ねることで表示を行う描画シート）を操作したりすることで、上記の不具合を改善し、見かけ上の表示品位と多くの文字を素早いレスポンスで書き換える応答性を確保している。
【００１３】
しかしながら、上記従来のビットマップ表示方法では、大規模な回路構成または高価なＣＰＵを必要とするなど、近年小型化しつつあるカメラ一体型のビデオレコーダ等の記録再生装置に組み込むことは難しい構成を必要としていた。また、記録再生装置内の各ブロックの制御とビットマップ表示制御とを同一のマイコンで行うことは、特にメニュー表示の場合には多くの文字を素早いレスポンスで書き換える必要があるため、マイコンの処理負荷が増大してしまうために困難であった。
【００１４】
本発明は、上述した点に鑑みなされたものであり、ユーザがストレスを感じることが少ない高速なメニュー表示を行うと共に、書き込み処理とそれ以外の多くの処理を同一の制御手段で行うことを可能とした映像情報表示制御装置を提供することを目的とする。
【００１５】
【課題を解決するための手段】
上記目的を達成するため、本発明は、映像情報の表示制御を行う映像情報表示制御装置において、映像信号に付加する付加画像情報を生成する付加画像情報生成手段と、前記付加画像情報のビットマップパターンを記憶する付加画像情報記憶手段と、前記付加画像情報記憶手段に前記付加画像情報のビットマップパターンを書き込む書き込み処理と前記書き込み処理以外の処理とを順次実行し、特定の動作状態になった場合、前記書き込み処理以外の処理を処理負荷が軽くなるモードにより実行する制御手段とを有することを特徴とする。
【００１６】
【発明の実施の形態】
以下、本発明の実施の形態を図面に基づいて詳細に説明する。
【００１７】
本発明を、磁気テープにデジタル映像信号をヘリカルスキャン方式（磁気テープに斜めに形成されたトラック上に映像を記録する方式）で記録するデジタルビデオカメラ（以下ＤＶＣ）に適用した場合の実施形態について説明する。図１は本発明を最もよく表す、本実施形態に係るＤＶＣの構成を示すブロック図である。ＤＶＣは、レンズ１−１、ＣＣＤ１−２、カメラ信号処理回路１−３、ジャイロセンサ１−４、ビデオ信号処理回路１−５、ビットマップ情報生成回路１−６、ビットマップメモリ１−７、加算器（足算器）１−８、メカデッキ１−９、デジタルインタフェース（Ｄ．Ｉ．）１−１０、リモコン入力手段１−１１、キー入力手段１−１２、マイコン１−１３を備えている。
【００１８】
図中、１−ａはレンズ制御、１−ｂはカメラ信号処理回路制御、１−ｃはジャイロ信号読み込み、１−ｄはビデオ信号処理回路制御、１−ｅはメカモード制御・メカサーボ制御、１−ｆはビットマップ情報生成回路制御、１−ｇはユーザインタフェース入力、１−ｈはビットマップメモリ書き込み、１−ｉはＶＤ、ＨＤの同期信号、１−ｊはＶＤ割り込み信号である。
【００１９】
レンズ１−１は、被写体の光学的な信号（光学像）をＣＣＤ１−２に導光する。ＣＣＤ１−２は、レンズ１−１を通じて入力される光学的な信号を電気信号に変換する。カメラ信号処理回路１−３は、ＣＣＤ１−２から出力された電気信号を処理する。ジャイロセンサ１−４は、マイコン１−１３で防振制御を行うために、ＤＶＣ本体の振動を検出するセンサである。ビデオ信号処理回路１−５は、カメラ信号処理回路１−５から出力されたデジタル映像信号を磁気テープに記録するための画像記録信号及びモニタ（図示略）に出力するための映像信号に変換する。ビットマップ情報生成回路１−６は、モニタに出力される映像信号に付加する付加画像情報信号を生成する。ビットマップメモリ１−７は、映像信号に付加したい付加画像情報信号のビットマップパターンを書き込むためのメモリである。
【００２０】
加算器１−８は、ビデオ信号処理回路１−５から出力されたモニタ出力信号に、ビットマップ情報生成回路１−６から出力されたビットマップ付加画像情報信号を混合（ＭＩＸ）する。ビットマップ情報生成回路１−６は、ビデオ信号処理回路１−５にて生成された、画面の垂直方向の映像期間を表す垂直同期信号（以下ＶＤ）及び水平方向の映像期間を表す水平同期信号（以下ＨＤ）を動作タイミングの基準信号として受け取り（１−ｉ）、これらのタイミングを基準として、加算器１−８に対してビットマップ付加画像情報信号を出力している。メカデッキ１−９は、ビデオ信号処理回路１−５によって生成された画像記録信号を、高速で回転するドラムモータに装着された複数の磁気ヘッドにより磁気テープに斜めに形成されたトラック上に記録する。デジタルインタフェース（Ｄ．Ｉ．）１−１０、リモコン入力手段１−１１、キー入力手段１−１２は、ユーザがＤＶＣの操作を行う場合に用いるユーザインタフェースである。
【００２１】
マイコン１−１３は、上記の各ブロックを総合的に制御するものであり、ズーム・オートフォーカス（以下ＡＦ）を行うためのモータ制御を主としたレンズ制御（１−ａ）、オートホワイトバランス（以下ＡＷＢ）・プログラムＡＥ（以下ＰＡＥ）等の制御を行うカメラ信号処理回路制御（１−ｂ）、ジャイロセンサ１−４の出力信号の読み込み（１−ｃ）を含んだ防振（以下ＩＳ）制御、記録・再生等の信号処理モード設定等を行うビデオ信号処理回路制御（１−ｄ）、メカデッキ１−９において、磁気テープ走行を行うためのキャプスタンモータ・磁気記録を行うビデオヘッドが搭載されたドラムモータの回転制御等を主としたメカサーボ制御及びメカモード制御（１−ｅ）、色パレットの設定等のビットマップ情報生成回路制御（１−ｆ）、ユーザインタフェース情報の読み取り（１−ｇ）やＤＶＣの全体モードの決定等のＵＩ（ユーザインタフェース）制御、等の各種の制御を行っている。
【００２２】
マイコン１−１３は、上記各種制御に加えて、ビットマップメモリ１−７に付加画像情報のビットマップパターンを書き込むビットマップメモリ書き込み制御を行う。マイコン１−１３は、ビデオ信号処理回路１−５から同期信号としてＶＤ（１−ｊ）を受け取り、ＶＤを割り込み信号として使用することで、ビデオ信号処理回路１−５、ビットマップ情報生成回路１−６等の周辺回路の動作に同期したタイミングで制御を行うことができる。また、マイコン１−１３は、内部メモリ（図示略）に格納された制御プログラムに基づき図１に示す各部を制御することにより、図４のフローチャートに示すカメラ制御処理を実行する。
【００２３】
図２及び図３はＤＶＣのモニタに表示されるＶＴＲ設定メニュー画面の表示例を示す図である。図２はＶＴＲ設定メニュー画面の表示例である。本実施形態ではＶＴＲ設定メニュー画面から「記録モード」「オーディオモード」「アフレコ（アフターレコーディング）入力」の各設定が可能である。ＶＴＲ設定メニュー画面には、ＶＴＲモードの通常画面から“メニューキー”を押下することで移行することができる。２−１は現在の選択項目を示すポインタ表示、２−２はそれぞれの項目について現在設定されている状態を表す表示である。ＶＴＲ設定メニュー画面において、ユーザはキー入力手段１−１２またはリモコン入力手段１−１１の操作によって上記ポインタ表示２−１を所望の項目まで移動させ、所望の項目の位置で“確定キー”を押下することで、その項目の設定画面に切り換えることが可能である。
【００２４】
図３は上記「記録モード」の設定画面の表示例である。３−１は選択項目を示すポインタ表示、３−２は設定可能状態の一覧表示である。設定画面において、ユーザはキー入力手段１−１２またはリモコン入力手段１−１１の操作によって上記ポインタ表示３−１を設定したい項目まで移動させ、設定したい項目の位置で“確定キー”を押下することで、その設定状態に変更することが可能である。“確定キー”押下後は、図３の設定画面は再び図２のＶＴＲ設定メニュー画面に切り換わり、ＶＴＲ機能の他の設定を行うこともできる。ＶＴＲ設定メニュー画面から抜ける場合には、図２のＶＴＲ設定メニュー画面の表示で、「←戻る」の位置にポインタを移動させて“確定キー”を押下するか、または再び“メニューキー”を押下すればよい。
【００２５】
上述した通り、メニュー表示モードにおいては、ユーザの操作に応じて素早いレスポンスで、多くの文字列の表示を切り換えることが必要である。これらの文字列の表示は、マイコン１−１３がビットマップメモリ１−７に文字列のビットマップパターンを書き込むことによって実現されているが、次に、ビットパターンメモリ１−７とビットマップ情報生成回路１−６の詳細な説明を行う。
【００２６】
図５はビットマップ情報生成回路１−６の概要を示すブロック図である。ビットマップ情報生成回路１−６は、色パレット５−２、選択スイッチ５−３、ビットマップ信号生成回路５−４を備えている。図中１−７はビットマップメモリの概念を示すものであり、マイコン１−１３はこのビットマップメモリ１−７に付加画像情報のビットマップパターンを書き込む。ビットマップ情報生成回路１−６において、色パレット５−２は、複数の色（透明、青、赤、緑、白等）を有する。マイコン１−１３は色パレット５−２の色を自由に設定することができる。選択スイッチ５−３は、色パレット５−２に設定された色を選択するためのスイッチである。
【００２７】
ビットマップ信号生成回路５−４は、ビデオ信号処理回路１−５からＨＤ（水平同期信号）・ＶＤ（垂直同期信号）を受け取り、そのタイミングに応じて出力信号を発生する。また、ビットマップ信号生成回路５−４は、ＨＤ・ＶＤによってビットマップメモリ１−７を順にスキャンし、ビットマップメモリ１−７からデータを読み出す。そして、ビットマップ信号生成回路５−４は、読み出されたデータの値によって順次、選択スイッチ５−３を切り替え、選択スイッチ５−３で選択された色パレット５−２の色を取り込み、その取り込んだ色に応じた信号を出力することで、モニタ出力信号に付加される付加画像情報を生成している。
【００２８】
上記ビットマップ情報生成回路１−６の動作を図６を用いて説明する。図６はビットマップ情報生成回路１−６の読み出し動作を示すタイミング図である。６−１はＶＤ信号、６−２はＨＤ信号である。６−３はビットマップ情報生成回路１−６が、図５のビットマップメモリ１−７から読み出された値に応じて図５のように設定された色パレット５−２から読み出した色の情報である。ビットマップ情報生成回路１−６はＶＤ信号６−１を受け取ると、ビットマップメモリ読み込みアドレスをモニタ画面の上端左隅に対応するビットマップメモリ１−７の上端左隅の位置に移動し、上端左隅に対応するアドレスから順次データを読み出す。図５の場合は読み出したデータ値は、０、０、０、３、３・・・となる。この値に応じた色パレット５−２の位置から該当色のデータを順次読み出すと、透明、透明、透明、緑、緑・・・となる。
【００２９】
次に、ビットマップ情報生成回路１−６がＨＤ信号６−２を受け取ると、ビットマップメモリ読み込みアドレスをビットマップメモリ１−７の上端から１ライン下げて、左端に対応するアドレスから順次データを読み出す。図５の場合は読み出したデータ値は、０、０、２、２、２・・・となる。この値に応じた色パレット５−２の位置から該当色のデータを順次読み出すと、透明、透明、赤、赤、赤・・・となる。ビットマップ情報生成回路１−６内のビットマップ信号生成回路５−４は、このような手順によって読み出された色のデータをモニタ出力画像に付加できるような信号形式に変換することで、付加画像情報を循環的に生成する。
【００３０】
次に、これまで説明したような表示処理制御を行うマイコン１−１３における表示処理制御以外の制御について説明する。上述した図１の１−ａ〜１−ｇの各制御は“タスク”化された形でマイコン１−１３がマルチ処理を行うことで実現されており、これらのタスクはその緊急度に応じて予め優先順位が設定されている。
【００３１】
図７はマイコン１−１３で処理されるタスクの種類と処理概要とタスクの優先順位を示したマイコン処理タスク一覧を示す図である。本実施形態において、最も優先順位が高いタスクは「メカサーボ制御」タスクである。メカサーボ制御は、ドラムモータ及びキャプスタンモータの回転に応じて出力されるＤＦＧ及びＣＦＧパルスによって起動され、これらのモータを一定速度で回転させるための制御電圧を発生する。映像情報の記録時及び再生時には、これらのモータを安定的に制御する必要がある。そのためには、上記ＤＦＧ（Ｄｒａｍ  Ｆｒｅｑｕｅｎｃｙ  Ｇｅｎｅｒａｔｏｒ）／ＣＦＧ（Ｃａｐｓｔａｎ  Ｆｒｅｑｕｅｎｃｙ  Ｇｅｎｅｒａｔｏｒ）のパルスに瞬時に応答して処理することが不可欠であり、そのためにメカサーボ制御タスクの優先順位が最高順位となっている。
【００３２】
ＤＶＣは、カメラモード（撮影モード）時にはズーム・ＡＦ（自動焦点調節処理）制御を行う必要があるが、これらの制御もカメラ信号処理回路１−３から出力されたＡＦ評価値のサンプリングに応じて、応答性の高い制御を行う必要がある。そのために、レンズ制御（ズーム・ＡＦ制御）タスクを次の優先順位としている。防振（ＩＳ）制御もカメラモード時に行う制御であり、ジャイロセンサ１−４の読み込みタイミングに素早く応答して、ＩＳ制御に関わる出力を発生する必要がある。より高い性能を実現するために、このＩＳ制御タスクを次の優先順位に設定してある。
【００３３】
その次に優先されるタスクはカメラ信号処理タスクである。カメラ信号処理タスクは、自動露出補正処理（以下ＡＥ）及び自動ホワイトバランス処理（以下ＡＷＢ）を制御するタスクであり、時々刻々と変化する被写体の状態に素早く応答し、適正な画像状態を保つために優先順位を上げて処理する必要があるために、高い優先順位となっている。
【００３４】
本実施形態では、これら高速に処理する必要のある上記タスクの次にビットマップメモリ書き込みタスクの優先順位を設定している。従って、カメラモード時においては、ビットマップメモリ書き込みタスクは、レンズ制御タスク・ＩＳ制御タスク・ＡＥ／ＡＷＢを行うカメラ信号処理タスクがフルに動作している状態では、上述したメニュー表示モードにおいては、多くの文字列を素早いレスポンスで切り換えることが難しい。
【００３５】
そこで、本実施形態では、上記レンズ制御・ＩＳ制御・カメラ信号処理の各タスクに２つのモードを設け、メニュー表示モードにおいては、マイコン１−１３の処理負荷が軽くなる方のモードで動作させることで、この問題を改善している。本実施形態のＤＶＣは、ＡＥ・ＡＷＢ・ＡＦ・ＩＳの各処理を順に行うモード１（マイコン１−１３の処理負荷が増大するモード）と、ＡＥ・ＡＷＢ・ＡＦ・ＩＳの各処理のうち所定の処理を間引くモード２（マイコン１−１３の処理負荷が軽くなるモード）とを有する。
【００３６】
また、本実施形態では、ビットマップメモリ書き込みタスク（処理）と、該ビットマップメモリ書き込みタスク以外の、複数の処理モードを有するタスクとに大別している。複数の処理モードとは、映像を構成する各フィールド画像毎に処理を行う高精度な制御モードと、映像を構成する各フレーム毎に処理を行うかもしくは処理レートを落として処理を行う低処理負荷制御モードとを含む。
【００３７】
次に、本実施形態のＤＶＣにおけるカメラ制御処理を図４のフローチャートを用いて説明する。本フローチャートに示すカメラ制御処理はマイコン１−１３が内部メモリ（図示略）に格納された制御プログラムに基づき実行する。
【００３８】
カメラ制御処理はＶＤ（１−ｊ）割り込み処理により実行される。先ず、ステップＳ４−１において、マイコン１−１３はモニタにメニューを表示中かどうかの判断を行う。ステップＳ４−１でメニュー表示中でないと判断した場合には、ステップＳ４−１１に移行し、マイコン１−１３は通常モードすなわちＡＥ・ＡＷＢ・ＡＦ・ＩＳの各処理を順に行うモード１にて動作するように制御する。モード１では、全ての処理を同じＶＤタイミングにて行うために高精度な制御が可能となるが、マイコン１−１３における処理負荷は増大する。ステップＳ４−１１において、ステップＳ４−７ではＡＥ処理を行い、ステップＳ４−８ではＡＷＢ処理を行い、ステップＳ４−９ではＡＦ処理を行い、ステップＳ４−１０ではＩＳ処理を行い、本処理を終了する。尚、ＡＥ処理、ＡＷＢ処理、ＡＦ処理、ＩＳ処理は公知の処理であるため詳細は省略する。
【００３９】
他方、ステップＳ４−１でメニュー表示中（メニュー表示モード）と判断した場合には、ステップＳ４−１２に移行し、マイコン１−１３は処理を間引いたモード２にて動作するように制御する。モード２では、後述するようにマイコン１−１３における処理負荷は軽くなる。ステップＳ４−１２において、ステップＳ４−２では、マイコン１−１３はメニュー表示画面が現在は第１フィールド（映像フレームを構成する２つのフィールドの内の１つ）であるかどうかの判断を行う。ステップＳ４−２で第１フィールドであると判断した場合には、ステップＳ４−３でＡＥ処理を行い、ステップＳ４−４でＡＷＢ処理を行い、本処理を終了する。また、ステップＳ４−２で第１フィールドではないと判断した場合には、ステップＳ４−５でＡＦ処理を行い、ステップＳ４−６でＩＳ処理を行い、本処理を終了する。
【００４０】
上記のように、モード２では、ＡＥ処理・ＡＷＢ処理・ＡＦ処理・ＩＳ処理のうち所定の処理を間引いている（ステップＳ４−３〜ステップＳ４−４ではＡＦ処理及びＩＳ処理を間引き、ステップＳ４−５〜ステップＳ４−６ではＡＥ処理及びＡＷＢ処理を間引いている）ために、モード１よりも精度的には劣ることとなるが、マイコン１−１３の処理負荷としては軽くて済むために、その分、ビットマップメモリ書き込みタスクが多くの処理を行うことができる。従って、上述したメニュー表示モードにおいて多くの文字列を素早いレスポンスで切り換える（書き換える）ことが可能となる。
【００４１】
以上説明したように、本実施形態によれば、多くの文字列を素早いレスポンスで書き換える必要のあるメニュー表示モードの実行時には、カメラ関連の処理をマイコン１−１３の負荷が軽くて済む方のモードにて動作させることで、ユーザがストレスを感じることが少ない高速なメニュー表示を行うことができる。同時に、ビットマップメモリ書き込み処理とそれ以外の多くの処理を同一のＣＰＵで行うことが可能となる。
【００４２】
［他の実施の形態］
上記実施の形態では、デジタルビデオカメラで実行する各タスクの優先順位を図７に示す優先順位に設定した場合を例に挙げたが、本発明はこれに限定されるものではなく、当該デジタルビデオカメラの仕様等に応じた優先順位の設定を行うことができる。
【００４３】
上記実施の形態では、デジタルビデオカメラの記録方式をヘリカルスキャン方式とした場合を例に挙げたが、本発明はこれに限定されるものではなく、他の記録方式に適用することもできる。
【００４４】
上記実施の形態では、本発明をデジタルビデオカメラに適用した場合を例に挙げたが、本発明はこれに限定されるものではなく、各種のカメラ一体型映像記録装置或いはカメラ一体型映像記録再生装置に適用することができる。
【００４５】
また、本発明の目的は、実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００４６】
この場合、記憶媒体から読み出されたプログラムコード自体が上述した実施の形態の機能を実現することになり、そのプログラムコードを記憶した記憶媒体は本発明を構成することになる。
【００４７】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００４８】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれる。
【００４９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれる。
【００５０】
［実施態様の例］
本発明の実施態様の例を以下に列挙する。
【００５１】
「実施態様１」
映像情報の表示制御を行う映像情報表示制御装置において、
映像信号に付加する付加画像情報を生成する付加画像情報生成手段と、前記付加画像情報のビットマップパターンを記憶する付加画像情報記憶手段と、前記付加画像情報記憶手段に前記付加画像情報のビットマップパターンを書き込む書き込み処理と前記書き込み処理以外の処理とを順次実行し、特定の動作状態になった場合、前記書き込み処理以外の処理を処理負荷が軽くなるモードにより実行する制御手段とを有し、
前記処理負荷が軽くなるモードとは、前記書き込み処理以外の処理のうち所定の処理を間引くモードであることを特徴とする映像情報表示制御装置。
【００５２】
本構成により、付加画像情報のビットマップパターンをメモリ（付加画像情報記憶手段）に書き込みグラフィカルで高品位な情報を出力する表示方法であるビットマップ表示を用いて、多くの文字を使用した画面表示を一気に切り換えるような制御処理を、それ以外の多くの処理と共に、同一のＣＰＵ（制御手段）で実現することが可能となる。
【００５３】
「実施態様２」
前記特定の動作状態とは、外部から所定の設定を行うための前記付加画像情報に関わるメニューを表示するメニュー表示状態であることを特徴とする実施態様１記載の映像情報表示制御装置。
【００５４】
本構成により、ビットマップを用いたメニュー表示と、それ以外の多くの処理を、同一のＣＰＵで実現することが可能となる。
【００５５】
「実施態様３」
前記書き込み処理以外の処理とは、自動焦点調節処理、自動ホワイトバランス処理、防振処理等の撮像手段に関連した処理を含むことを特徴とする実施態様１記載の映像情報表示制御装置。
【００５６】
本構成により、ビットマップを用いたメニュー表示と、カメラ関連の制御処理を、同一のＣＰＵで実現することが可能となる。
【００５７】
「実施態様４」
前記書き込み処理以外の処理は、複数の処理モードを有し、前記複数の処理モードとは、映像を構成する各フィールド画像毎に処理を行う高精度な制御モードと、映像を構成する各フレーム毎に処理を行うかもしくは処理レートを落として処理を行う低処理負荷制御モードとを含むことを特徴とする実施態様１又は３記載の映像情報表示制御装置。
【００５８】
本構成により、ビットマップを用いたメニュー表示と映像関連の制御処理を、映像関連の制御の処理レートを落とした低処理負荷制御モードを用いることで、同一のＣＰＵで実現することが可能となる。
【００５９】
「実施態様５」
撮像手段から出力される映像信号を磁気記録媒体に記録する映像記録装置において、
前記映像信号を前記磁気記録媒体への記録信号に変換する信号処理手段と、前記映像信号に付加する付加画像情報を生成する付加画像情報生成手段と、前記付加画像情報のビットマップパターンを記憶する付加画像情報記憶手段と、前記付加画像情報記憶手段に前記付加画像情報のビットマップパターンを書き込む書き込み処理と前記書き込み処理以外の処理とを順次実行し、特定の動作状態になった場合、前記書き込み処理以外の処理を処理負荷が軽くなるモードにより実行する制御手段とを有することを特徴とする映像記録装置。
【００６０】
本構成により、カメラ一体型の映像記録装置において、ビットマップ表示を用いて多くの文字を使用した画面表示を一気に切り換えるような制御処理を、それ以外の多くの処理と共に、同一のＣＰＵで実現することが可能となる。
【００６１】
「実施態様６」
前記処理負荷が軽くなるモードとは、前記書き込み処理以外の処理のうち所定の処理を間引くモードであることを特徴とする実施態様５記載の映像記録装置。
【００６２】
「実施態様７」
前記特定の動作状態とは、外部から前記映像記録装置の設定を行うための前記付加画像情報に関わるメニューを表示するメニュー表示状態であることを特徴とする実施態様５記載の映像記録装置。
【００６３】
本構成により、カメラ一体型の映像記録装置において、ビットマップを用いたメニュー表示と、それ以外の多くの処理を、同一のＣＰＵで実現することが可能となる。
【００６４】
「実施態様８」
前記書き込み処理以外の処理とは、自動焦点調節処理、自動ホワイトバランス処理、防振処理等の前記撮像手段に関連した処理を含むことを特徴とする実施態様５記載の映像記録装置。
【００６５】
本構成により、カメラ一体型の映像記録装置において、ビットマップを用いたメニュー表示と、自動焦点調節処理、自動ホワイトバランス処理、防振処理等のカメラ関連の制御処理を、同一のＣＰＵで実現することが可能となる。
【００６６】
「実施態様９」
前記書き込み処理以外の処理は、複数の処理モードを有し、前記複数の処理モードとは、映像を構成する各フィールド画像毎に処理を行う高精度な制御モードと、映像を構成する各フレーム毎に処理を行うかもしくは処理レートを落として処理を行う低処理負荷制御モードとを含むことを特徴とする実施態様５又は８記載の映像記録装置。
【００６７】
本構成により、ビットマップを用いたメニュー表示とカメラ関連の制御処理を、カメラ関連の制御の処理レートを落とした低処理負荷制御モードを用いることで、同一のＣＰＵで実現することが可能となる。
【００６８】
「実施態様１０」
前記撮像手段から出力される映像信号をドラムモータに装着された複数の磁気ヘッドにより磁気テープに斜めに形成されたトラック上に記録する記録方式を有することを特徴とする実施態様５乃至９の何れかに記載の映像記録装置。
【００６９】
「実施態様１１」
前記実施態様５乃至１０の何れかに記載の映像記録装置と前記磁気記録媒体から映像を再生する映像再生装置とを備えたことを特徴とする映像記録再生装置。
【００７０】
「実施態様１２」
映像信号に付加する付加画像情報を生成する付加画像情報生成工程と、付加画像情報記憶手段に前記付加画像情報のビットマップパターンを書き込む書き込み処理と前記書き込み処理以外の処理とを順次実行し、特定の動作状態になった場合、前記書き込み処理以外の処理を処理負荷が軽くなるモードにより実行する制御工程とを有することを特徴とする映像情報表示制御方法。
【００７１】
「実施態様１３」
映像信号に付加する付加画像情報を生成する機能と、付加画像情報記憶手段に前記付加画像情報のビットマップパターンを書き込む書き込み処理と前記書き込み処理以外の処理とを順次実行し、特定の動作状態になった場合、前記書き込み処理以外の処理を処理負荷が軽くなるモードにより実行する機能を、コンピュータに実現させるためのプログラム。
【００７２】
「実施態様１４」
映像情報表示制御方法を実行するプログラムを記憶したコンピュータにより読み出し可能な記憶媒体において、
前記映像情報表示制御方法は、映像信号に付加する付加画像情報を生成するステップと、付加画像情報記憶手段に前記付加画像情報のビットマップパターンを書き込む書き込み処理と前記書き込み処理以外の処理とを順次実行し、特定の動作状態になった場合、前記書き込み処理以外の処理を処理負荷が軽くなるモードにより実行するステップとを有することを特徴とする記憶媒体。
【００７３】
【発明の効果】
以上説明したように、本発明によれば、映像情報表示制御装置の制御手段は、付加画像情報記憶手段に付加画像情報のビットマップパターンを書き込む書き込み処理と前記書き込み処理以外の処理とを順次実行し、特定の動作状態になった場合、前記書き込み処理以外の処理を処理負荷が軽くなるモードにより実行する。即ち、付加画像情報のビットマップパターンをメモリ（付加画像情報記憶手段）に書き込みグラフィカルで高品位な情報を出力する表示方法であるビットマップ表示を用いて、多くの文字列を素早いレスポンスで書き換える必要のあるメニュー表示を実行する時には、前記書き込み処理以外の処理を制御手段の負荷が軽くなるモードにより実行することで、ユーザがストレスを感じることが少ない高速なメニュー表示を行うことができる。同時に、付加画像情報記憶手段に付加画像情報のビットマップパターンを書き込む書き込み処理とそれ以外の多くの処理を同一の制御手段で行うことが可能となる。
【図面の簡単な説明】
【図１】本発明の実施の形態に係るデジタルビデオカメラの構成を示すブロック図である。
【図２】メニュー設定の表示画面の表示例を示す図である。
【図３】メニュー設定の表示画面の表示例を示す図である。
【図４】カメラ制御処理を示すフローチャートである。
【図５】ビットマップ情報生成回路の構成を示すブロック図である。
【図６】ビットマップ情報生成回路の読み出し動作を示すタイミング図である。
【図７】マイコンで処理されるタスクの種類と処理概要とタスクの優先順位を示したマイコン処理タスク一覧を示す図である。
【図８】従来例に係るデジタルビデオカメラの構成を示すブロック図である。
【符号の説明】
１−１  レンズ
１−２  ＣＣＤ（撮像手段）
１−３  カメラ信号処理回路
１−４  ジャイロセンサ
１−５  ビデオ信号処理回路（信号処理手段）
１−６  ビットマップ情報生成回路（付加画像情報生成手段）
１−７  ビットマップメモリ（付加画像情報記憶手段）
１−８  加算器
１−９  メカデッキ
１−１０  デジタルインタフェース
１−１１  リモコン入力手段
１−１２  キー入力手段
１−１３  マイコン（制御手段）
１−ａ  レンズ制御
１−ｂ  カメラ信号処理回路制御
１−ｃ  ジャイロ信号読み込み
１−ｄ  ビデオ信号処理回路制御
１−ｅ  メカモード制御・メカサーボ制御
１−ｆ  ビットマップ情報生成回路制御
１−ｇ  ユーザインタフェース入力
１−ｈ  ビットマップメモリ書き込み
１−ｉ  ＶＤ、ＨＤの同期信号
１−ｊ  ＶＤ割り込み信号
【図１】
2004173101.tif 000003
【図２】
2004173101.tif 000004
【図３】
2004173101.tif 000005
【図４】
2004173101.tif 000006
【図５】
2004173101.tif 000007
【図６】
2004173101.tif 000008
【図７】
2004173101.tif 000009
【図８】
2004173101.tif 000010